(57)【要約】      （修正有）【課題】装着者の顔面を覆うフロントシールド部において、装着者がフロントシールド部を介して側方や下方周辺部の外界の像を見たとき、像の歪みを極力少なくすることができるフェイスガードを提供する。【解決手段】装着者Ｍの頭部を覆う頭部カバー５と、頭部カバーの斜め下方に延設され、装着者が装着した際に額に当接してフェイスガード１を顔面に位置決めする額当てスペーサ部４と、額当てスペーサ部に、装着者の頭部に巻き付けることでフェイスガードを頭部に締結固定できる取付けバンド６と、額当てスペーサ部の斜め下方向に延設され、装着者の顔面全体を覆う平板状の透明なフロントシールド部２と、フロントシールド部の左右側方に延設され、各左右後方に延びた平板状の透明な右サイドシールド部及び左サイドシールド部とを備える。【選択図】図３
0003228027.tif 000002
【実用新案登録請求の範囲】
【請求項１】
装着者の顔面全体を覆う平坦板状の透明なフロントシールド部と、
前記フロントシールド部の左右側方から後方に延びた平坦板状の透明な右サイドシールド部及び左サイドシールド部と、
前記フロントシールド部より斜め後方上向きに延設され、装着者が装着した際に当該者の額に当接して前記フロントシールド部を顔面に位置決めする額当てスペーサ部と、
前記額当てスペーサ部より斜め後方上向きに延設し装着者の頭部を覆う頭部カバーと、
前記額当てスペーサ部に備え付けられ、前記装着者の頭部に巻き付けて締結固定できる取付けバンドとからなり、
平坦板状の透明樹脂を切断及び折り曲げて成型したことを特徴とするフェイスガード。
【請求項２】
平坦板状の前記フロントシールドの上側を透明な上部視界フロントシールド部と成し、前記上部視界フロントシールド部除く下部フロントシールド部及び前記左右のサイドシールド部，を半透明または不透明に形成したことを特徴とする請求項１に記載のフェイスガード。
【考案の詳細な説明】
【技術分野】
【０００１】
本考案は、金属・木工加工、農林業、外科手術や介護等の作業中において付着しようとする飛沫物や、風や咳等から飛来する塵芥や菌等から顔面を防護するフェイスガードに関するものである。
【背景技術】
【０００２】
従来、各種の作業を行う作業者は、作業時に発生する飛沫物や塵芥等から顔や頭部を保護するための防護具としてフェイスガード（フェイスシールド）を用いてきた。また、自転車やバイク等の搭乗者は、風、または、塵芥等から顔面を防護する為のフェイスガードを装着している。
【０００３】
従来例として示す図５のフェイスガード１は、装着者の顔面全体を覆うように縦方向の半円筒状を成すように全体が湾曲した透明な樹脂フイルム等からなるフェイスシールド板７が設けられている。このフェイスシールド板７を装着者の頭部に固定して取付けるための帯状の額フレーム８と、装着者の頭部にフェイスガード１を締結固定する為の取付けバンド６が額フレーム８に取付けられている。
【０００４】
また下記特許文献１には、防護具として、液体や粉塵等から顔面を保護するフェイスガードが開示されている。
【先行技術文献】
【特許文献】
【０００５】
【特許文献１】特開２００９−１８９５４３号公報
【考案の概要】
【考案が解決しようとする課題】
【０００６】
しかしながら、上記従来のフェイスガードに設けられている顔面を覆うシールド板は、たとえば、透明な樹脂板等の左右両端部を手前側に曲げ、全体を半円筒状に湾曲した形状に形成してある。
【０００７】
したがって、フェイスシールド板の厚さは略一定の厚さであるので、装着者がフェイスシールド板を介して外界物を見た場合、フェイスシールド板の中央部を介して見る像は歪むことはほとんど無いが、フェイスシールド板の左右側面や下部の周辺面を介して見る像は歪んで見えてしまうという問題があった。
【０００８】
すなわち、フェイスガードの装着者は、フェイスシールド板で顔面全体が覆われている。その状態で正面を見た場合には、装着者が見る画像は、ほとんど歪まないが、装着者が眼球を左右や上下に動かして視線を左右上下方向にずらすと、装着者が見る画像が歪んでしまうという問題があり、長時間の作業には眼の疲労が蓄積する欠点があった。
【０００９】
本考案は、上記問題点に鑑みて考案されたものであり、装着者の顔面全体を覆うフロントシールド部において、装着者がフロントシールド部の周辺部を介してものを見たときであっても、視界に入る像の歪みを極力少なくすることができるフェイスガードを提供することを目的とする。
【課題を解決するための手段】
【００１０】
本考案のフェイスガードは、請求項１として、装着者の頭部を覆う頭部カバーと、頭部カバーの斜め下方に延設され、装着者がフェイスガードを装着した際に当該者の額に当接してフェイスガードを顔面に位置決めする額当てスペーサ部と、額当てスペーサ部に、装着者の頭部に巻き付けることでフェイスガードを締結固定できる取付けバンドと、額当てスペーサ部の斜め下方向に延設され、装着者の顔面全体を覆う平板状の透明なフロントシールド部と、フロントシールド部の左右側面に延設され、各左右後方に延びた平板状の透明な右サイドシールド部及び左サイドシールド部とを備えている。
請求項２として、請求項１に記載のフェイスガードにおいて、平板状の前記フロントシールドの上側を透明な上部視界フロントシールド部と成し、該上部視界フロントシールド部を除く下部フロントシールド部及び左右のサイドシールド部を半透明または不透明に形成したことを特徴とする。
【考案の効果】
【００１１】
本考案のフェイスガードにあっては、以下に列挙する効果が得られる。
【００１２】
（１）本考案のうち請求項１の考案によれば、装着者の顔面を覆うフロントシールド部が平板状であるため、装着者がフロントシールド部の左右あるいは下方の周辺部を介して外界の像を見たときであっても、像の歪みを極力少なくすることができるという効果がある。平板状の樹脂を切断し、これをさらに折り曲げてフェイスガード全体を一体成型することにより、軽量でシンプルな構造にでき、製造コストを下げる効果がある。
【００１３】
（２）本考案の請求項２によれば、フロントシールド部の上側、即ち装着者の目の高さ位置に相当する上部視界フロントシールド部のみを透明な平坦部に形成し、残りの下部フロントシールド部及び左右のサイドシールド部を半透明または不透明に形成することにより、装着者の周囲からの余分な光や外界物が直接目に入ることがないし、また鏡面の如く装着者の衣類の写り込みも防げるので、作業の集中化をより高めることができ、目の疲労を少なくできる効果がある。
【図面の簡単な説明】
【００１４】
【図１】本考案の実施例１のフェイスガードを示す正面図である。
【図２】図１のフェイスガードのA―A線矢視断面図である。
【図３】本考案の実施例１のフェイスガードの装着例を示す側面図である。
【図４】本考案の実施例２のフェイスガードを示す正面図である。
【図５】フェイスガードの従来例を示す斜視図である。
【考案を実施するための形態】
【００１５】
以下、本考案の実施形態1及び実施形態２について、それぞれ添付図面に基づいて説明する。
【実施例１】
【００１６】
図1乃至図３には、本考案のフェイスガード１の実施例１を示す。
フェイスガード１には、装着者Mの顔面全体を覆う平坦板状のフロントシールド部２と、当該フロントシールド部２を顔面に位置決め固定する額当てスペーサ部４がフロントシールド部２の斜め上方に屈曲部１１を介して連設されている。さらに前記額当てスペーサ部４の斜め上方には頭部を前方から覆う頭部カバー５が屈曲部１２を介して連設されている。また前記フロントシールド部２の左右側面には顔の側面を覆うサイドシールド部３として、右サイドシールド部３aと左サイドシールド部３ｂが左右後方にそれぞれ折り曲げた状態で連設されている。
【００１７】
前記額当てスペーサ部４の左右端部には、装着者Mの頭部に巻き付けて前記フェイスガード１を頭部に締結固定する取付けバンド６を挿入して取付けるための孔４aがそれぞれ穿孔されている。このことにより、取付けバンド６を左右の孔４aを介して挿入することで、前記フェイスガード１に一体的に組み付けられる。
なお取付けバンド６は、左右の孔４a，４aに別々に取付けることもできる。また前記取付けバンド６の左右両端には、取付けバンド６の両端部を互いに合わせて締結できる締結具（図示せず）が設けられている。
【００１８】
上述した前記フェイスガード１は、これを構成する前記フロントシールド部２、額当てスペーサ部４、頭部カバー５及びサイドシールド部３を、透明な一枚の平坦な樹脂板をプレス切断、孔明け及び折り曲げ加工することで、全体の形状をいっきに一体的に成型することができる。
次に前記取付けバンド６を額当てスペーサ部４の左右の孔４aを通すことにより前記フェイスガード１の全体構造を形成し、軽量かつコンパクトなフェイスガードとして全体を構成することができる。
【００１９】
図３に示す側面図には、装着者Mが前記フェイスガード１を顔面に装着した状態を示している。装着者Mは、平坦な板状の前記フロントシールド部２の斜め上方に連設されている前記額当てスペーサ部４を額に当接することで、前記フェイスガード１の取付け位置を自身の顔面に対して位置決めし、前記取付けバンド６の両端を頭部後方で締結することにより、前記フェイスガード１を顔面及び頭部に固定することができる。この固定した状態では、頭部は前記頭部カバー５により上方を覆うことができる。
また前記サイドシールド部３は、顔面の左右側面を上下縦方向に隠すことで飛沫物の左右側面からの汚染を防ぐことができる。前記フロントシールド部２とサイドシールド部３は、透明な平坦な樹脂素材から構成されているので、前面及び側面からの視界を広く捉えることできる。また前記フロントシールド部２は平坦な透明板状であることで、湾曲による画像の歪みがなく、装着者が長時間フェイスガード１を装着していても目の疲れが生じない効果が得られる。
【実施例２】
【００２０】
図４は本考案の実施例２を示す正面図であり、上述の実施例１と同じ機能を有する部材には実施例１と同じ符号を付して以下に説明する。
実施例１と同様に、フェイスガード１には、装着者Mの顔面全体を覆う平坦板状のフロントシールド部９と、当該フロントシールド部９を顔面に対して位置決め固定する額当てスペーサ部４が、フロントシールド部９の斜め上方に折り曲げた状態で連設されている。さらに前記額当てスペーサ部４の斜め上方には頭部を覆う頭部カバー５が同様に折り曲げた状態で連設されている。また前記フロントシールド部９の左右側面にはサイドシールド部１０として、右サイドシールド部１０aと左サイドシールド部１０ｂが側部後方にそれぞれ折り曲げた状態で連設されている。
【００２１】
前記額当てスペーサ部４の左右側方には、装着者Mの頭部に巻き付けて前記フェイスガード１を頭部に締結固定する取付けバンド６が実施例１と同様に設けられ、巻き付けて締結することで前記フェイスガード１を頭部に固定することができる。
【００２２】
実施例２の平坦板状の前記フロントシールド部９は、装着者Mの目の高さ位置に対応する上部視界フロントシールド部９aが、実施例１のフロントシールド部２と同様に透明で平坦な板状の面で構成されている。これに対して下部フロントシールド部９bは、フロントシールド部９の素材につや消し、エンボス加工、梨地加工あるいは塗装等を施して、半透明又は不透明な面に加工してある。また左右の前記サイドシールド部１０も同様な加工を施し、半透明又は不透明な面に加工する。このことから、装着者Mは、目の位置に対応する前記上部視界フロントシールド部９aを通してのみ、外界を直接見ることが可能となる。これに対して前記下部フロントシールド部９b及び左右サイドシールド部１０からの下方及び左右側方からの視界は、不透明な面で囲われて外界からの刺激を防ぐことができる。このことから、装着者Mは作業に長時間集中することが可能となる。また像が歪んだ外界からの視界を見ることなく作業にあたることができるので、目の疲労を感じることが少なくなる。
【００２３】
実施例２のフェイスガード１の全体構成も、透明で平坦な樹脂板をプレス等により切断、孔加工及び折り曲げ加工することで、全体をいっきに一体的に成型することができるので、軽量かつコンパクトなフェイスガード１を製造することができる。
【００２４】
以上、本考案の実施例1及び実施例２を説明したが、具体的な構成などは、適宜設計変更が可能である。また、本考案の実施の形態に記載された、作用および効果は、本考案から生じる最も好適な作用および効果を列挙したに過ぎず、本考案による作用および効果は、本考案の実施例に記載されたものに限定されるものではない。
【符号の説明】
【００２５】
１    フェイスガード
２    フロントシールド部
３    サイドシールド部
３a  右サイドシールド部、３b  左サイドシールド部
４    額当てスペーサ部、４ａ  孔
５    頭部カバー
６    取付けバンド
７    シールド板
８    額フレーム
９    フロントシールド部
９a  上部視界フロントシールド部、９b  下部フロントシールド部
１０  サイドシールド部
１０a  右サイドシールド部、１０b  左サイドシールド部
１１、１２  屈曲部
M  装着者
【図１】
0003228027.tif 000003
【図２】
0003228027.tif 000004
【図３】
0003228027.tif 000005
【図４】
0003228027.tif 000006
【図５】
0003228027.tif 000007
【手続補正書】
【提出日】令和2年6月29日(2020.6.29)
【手続補正１】
【補正対象書類名】実用新案登録請求の範囲
【補正対象項目名】請求項１
【補正方法】変更
【補正の内容】
【請求項１】
装着者の顔面全体を覆う平坦板状の透明なフロントシールド部と、
前記フロントシールド部より斜め後方上向きに延設され、装着者が装着した際に当該者の額に当接して前記フロントシールド部を顔面に位置決めする額当てスペーサ部と、
前記額当てスペーサ部に備え付けられ、前記装着者の頭部に巻き付けて締結固定できる取付けバンドとを備え、
更に前記額当てスペーサ部より斜め後方上向きに延設し装着者の頭部を覆う頭部カバーと、
フロントシールド部の左右側方から後方に延びた平坦板状の透明な右サイドシールド部及び左サイドシールド部との少なくとも一方を必要に応じて備え、
平坦板状の透明樹脂を切断及び折り曲げて成型したことを特徴とするフェイスガード。
【手続補正２】
【補正対象書類名】明細書
【補正対象項目名】００１０
【補正方法】変更
【補正の内容】
【００１０】
本考案のフェイスガードは、請求項１として、  装着者の顔面全体を覆う平坦板状の透明なフロントシールド部と、前記フロントシールド部より斜め後方上向きに延設され、装着者が装着した際に当該者の額に当接して前記フロントシールド部を顔面に位置決めする額当てスペーサ部と、前記額当てスペーサ部に備え付けられ、前記装着者の頭部に巻き付けて締結固定できる取付けバンドとを備え、
更に前記額当てスペーサ部より斜め後方上向きに延設し装着者の頭部を覆う頭部カバーと、フロントシールド部の左右側方から後方に延びた平坦板状の透明な右サイドシールド部及び左サイドシールド部との少なくとも一方を必要に応じて備え、平坦板状の透明樹脂を切断及び折り曲げて成型したことを特徴とする。
請求項２として、請求項１に記載のフェイスガードにおいて、平板状の前記フロントシールドの上側を透明な上部視界フロントシールド部と成し、該上部視界フロントシールド部を除く下部フロントシールド部及び左右のサイドシールド部を半透明または不透明に形成したことを特徴とする。